(57)【要約】【課題】簡易な手法で容易にＲＬＳの検査を行うことができる生体検査装置、プログラム、及び記録媒体を提供すること。【解決手段】ステップ２１０では、脈波信号から脈拍間隔を求め、ＣＤＭによって脈拍間隔の周波数解析を行う。続くステップ２２０では、周波数解析の結果から、０．０４〜０．１５Ｈｚの低周波成分と、０．１５〜０．４Ｈｚの高周波成分とを抽出する。続くステップ２３０では、年齢補正した指標として、例えば低周波成分／高周波成分（ＬＦ／ＨＦ）を求める。続くステップ２４０ではＬＦ／ＨＦが、ＲＬＳを示す所定の判定値以上か否かを判定する。例えばＬＦ／ＨＦが、０．６５以上か（ＲＬＳの疑いがある数値か）否かを判定する。ステップ２５０では、自律神経の活動を示す信号が正確に算出できているかを判定する。ステップ２６０では、ＬＦ／ＨＦを用いて、ＲＬＳの状態の判定を行う。【選択図】図１０
2010207347.tif 000002
【特許請求の範囲】
【請求項１】
心拍変動を示す信号から心拍間隔を求める間隔算出手段と、
前記間隔算出手段により算出した心拍間隔の変動状態を示す指標を算出する変動状態算出手段と、
前記変動状態算出手段により算出した心拍間隔の変動状態を示す指標を所定の基準値と比較する比較手段と、
前記比較手段による比較結果に基づいて、ＲＬＳの状態を判定する判定手段と、
を備えたことを特徴とする生体検査装置。
【請求項２】
前記変動状態算出手段は、前記心拍間隔の周波数解析を行うことによって、交感神経活動を示す所定の帯域の低周波数成分（ＬＦ）を求め、該低周波成分又は該低周波成分に基づいて得られる値を指標とすることを特徴とする請求項１に記載の生体検査装置。
【請求項３】
前記周波数解析によって、所定の帯域の低周波成分（ＬＦ）と全周波数成分（ＡＬＬ）とを求め、前記指標として、前記低周波成分（ＬＦ）と前記全周波数成分（ＡＬＬ）との比（ＬＦ／ＡＬＬ）を求めることを特徴とする請求項１又は２に記載の生体検査装置。
【請求項４】
前記周波数解析によって、所定の帯域の低周波成分（ＬＦ）と該低周波成分より高い所定の帯域の高周波数成分（ＨＦ）とを求め、前記指標として、前記低周波成分（ＬＦ）と前記高周波成分（ＨＦ）との比（ＬＦ／ＨＦ）を求めることを特徴とする請求項１又は２に記載の生体検査装置。
【請求項５】
前記低周波成分の帯域は、０．０３〜０．０９Ｈｚであることを特徴とする請求項２〜４のいずれかに記載の生体検査装置。
【請求項６】
前記低周波成分（ＬＦ）と前記高周波成分（ＨＦ）との比（ＬＦ／ＨＦ）又は０．０３〜０．０９Ｈｚの特定の低周波成分（ＲＬＳＦ）と前記高周波成分（ＨＦ）との比（ＲＬＳＦ／ＨＦ）により、健常者＜０．５、０．５＜ＲＬＳ愁訴のみ（ＰＬＭ無し）＜１．０、１．０＜ＰＬＭ（アローザル（覚醒）無し）＜２．０、２．０＜ＰＬＭ（アローザル有り睡眠障害）の様に区分することを特徴とする請求項２〜５のいずれかに記載の生体検査装置。
【請求項７】
前記変動状態算出手段により算出した心拍間隔の変動状態を示す指標として、心拍間隔の変動量の絶対値を用いることを特徴とする請求項１に記載の生体検査装置。
【請求項８】
前記変動状態算出手段により算出した心拍間隔の変動状態を示す指標を、年齢に応じて補正することを特徴とする請求項１〜７のいずれかに記載の生体検査装置。
【請求項９】
前記変動状態算出手段により算出した心拍間隔の変動状態を示す指標を、心拍間隔の測定時刻に応じて補正することを特徴とする請求項１〜７のいずれかに記載の生体検査装置。
【請求項１０】
前記ＲＬＳの判定を行う場合には、呼吸センサからの信号に基づいた情報を加味して判定を行うことを特徴とする請求項１〜９のいずれかに記載の生体検査装置。
【請求項１１】
前記ＲＬＳの判定を行う場合には、体動センサからの信号に基づいた情報を加味して判定を行うことを特徴とする請求項１〜１０のいずれかに記載の生体検査装置。
【請求項１２】
更に、前記心拍変動を示す信号を検出するセンサを備えたことを特徴とする請求項１〜１１のいずれかに記載の生体検査装置。
【請求項１３】
コンピュータを、前記請求項１〜１２のいずれかに生体検査装置として機能させるためのプログラム。
【請求項１４】
前記請求項１３に記載のプログラムを記憶しているコンピュータ読み取り可能な記録媒体。
【発明の詳細な説明】
【技術分野】
【０００１】
本発明は、むずむず脚症候群を客観的に検査することができる生体検査装置、プログラム、及び記録媒体に関するものである。
【背景技術】
【０００２】
１９４５年に、スウェーデンの神経科医Ｅｋｂｏｍによって命名されたレストレスレッグス症候群（Restless Legs Syndrome;ＲＬＳ）は、運動異常症に分類される神経学的疾患であるが、２１世紀になってから現代病として国内外で非常に話題になってきた。
【０００３】
ＲＬＳは、日本名でむずむず脚症候群（または下肢静止不能症候群）とも呼ばれるように、脚を中心とした不快な感覚が起こり、不快で耐えがたい下肢の異常感覚／錯感覚（むずむず ／ざわざわ／痛み）を伴って脚を動かしたいという衝動（欲求）が夜間に強まるため、不眠をもたらすことが特徴であり、睡眠障害の一つに含まれる。
【０００４】
この下肢の不快な感覚は、マッサージ中あるいは脚を動かすことにより緩和するが、逆に放置してじっとしていると、夕方から夜間に悪化するという特徴がある。
わが国のＲＬＳ患者は、人口の２〜５％で４７０万人いると推定されている。ＲＬＳは加齢とともに有病率が上昇し、そのピークは６０〜７０歳代、男女比は１：１．５であり、今後の高齢化社会でさらに増加するといわれている。
【０００５】
ＲＬＳの約８０％に、夜間睡眠中の周期性四肢運動（periodic limb  movements during sleep;ＰＬＭＳ）がみられるが、残りの約２０％はＰＬＭＳを伴わないＲＬＳである。そのため、現時点でのＲＬＳ診断は、不快感を中心とした愁訴に依存するところが大きく、例えば睡眠時呼吸障害を検知する技術（特許文献１参照）の様な、ＲＬＳの客観的及び定量的な診断法はないのが現状である。
【０００６】
また、上述の様に、ＲＬＳの約８０％に夜間睡眠中のＰＬＭＳが認められるので、ＲＬＳの診断には、終夜睡眠ポリグラフ検査（polysomnography;ＰＳＧ）が必須とされている。このＰＳＧ検査時とは、足に装着した筋電図に表れる筋肉の周期的な緊張（periodic limb  movements;ＰＬＭ）によって、ＲＬＳを検知するものである。
【特許文献１】特表２００７−５１７５５３号公報
【発明の概要】
【発明が解決しようとする課題】
【０００７】
しかしながら、ＲＬＳは、主に睡眠中に生じる症状であり、症状がある程度進行して睡眠前にむずむず感を感じるレベルにならないと、本人からの訴え（愁訴）は得られない。
また、自覚症状が無いと、これが睡眠障害（眠気）の原因だとは気づかないため、ＰＳＧ検査を受けることも無いため早期発見が難しい状況にある。
【０００８】
更に、ＰＳＧ検査には入院相当の一晩の監視モニタが必要であり、しかも、ＰＬＭＳのないＲＬＳ患者では、ＰＳＧを施行しても確定できる所見がなく、せっかくの検査が無駄になることすらある。
【０００９】
つまり、ＲＬＳの約２０％はＰＬＭＳを伴わないＲＬＳのため、むずむず感の症状はあっても、実際に足が周期的に動かない人はＰＳＧ検査を受診しても検知できない。そのため、現状では薬等による治療の効果の確認は本人の主観に頼っている。
【００１０】
また、ＲＬＳの有病者は、人口の２〜５％と非常に多いため、全員にＰＳＧを実施することは到底困難である。
そのため、ＰＬＭＳ以外の判定項目において、下肢の異常感覚／錯感覚を検出でき、医師としても治療効果を客観的に評価できる検査装置や、ＰＬＭＳをスクリーニングに利用できる新しい在宅簡易モニタなどの開発が望まれている。
【００１１】
本発明は、前記課題を解決するためになされたものであり、その目的は、簡易な手法で容易にＲＬＳの検査を行うことができる生体検査装置、プログラム、及び記録媒体を提供することにある。
【課題を解決するための手段】
【００１２】
ＲＬＳの有無やその程度は、自律神経（交感神経）活動量と関係があり、本発明者等の研究によって、自律神経活動と相関の高い心拍の変動成分（心拍変動ＨＲＶ）を調べることにより、ＲＬＳの有無やその程度を検知できることが見いだされ、この知見に基づいて本発明がなされたものである。以下、各請求項毎に説明する。
【００１３】
（１）請求項１の発明（生体検査装置）では、心拍変動を示す信号から心拍間隔を求める間隔算出手段と、前記間隔算出手段により算出した心拍間隔の変動状態を示す指標を算出する変動状態算出手段と、前記変動状態算出手段により算出した心拍間隔の変動状態（心拍変動：心拍間隔の揺らぎＨＲＶ）を示す指標を所定の基準値と比較する比較手段と、前記比較手段による比較結果に基づいて、ＲＬＳの状態を判定する判定手段と、を備えたことを特徴とする。
【００１４】
本発明者等の研究により、ＲＬＳの有無やその程度（重症や軽症）は、心拍変動と大きな相関があることが確認されている。従って、心拍変動を示す指標（心拍変動に応じて値が変化する指標）を基準値（例えば健常者からのデータや研究等によって得られた基準値）と比較することにより、ＰＳＧ検査をしない場合であても、更には、ＰＬＭＳのない被験者に対しても、ＲＬＳの有無やその程度を、容易に且つ精度良く検知することができる。
【００１５】
なお、心拍変動を示す信号とは、心電信号、脈波信号、血圧信号など、心拍変動に応じて変化する信号が挙げられる。従って、心拍変動を示す信号を検出するセンサとしては、脈波センサ（脈波計）、心電センサ（心電計）、心拍計、脈拍計、血流計、連続血圧計などが挙げられる。
【００１６】
（２）請求項２の発明は、前記変動状態算出手段は、前記心拍間隔の周波数解析を行うことによって、交感神経活動を示す所定の帯域の低周波数成分（ＬＦ）を求め、該低周波成分又は該低周波成分に基づいて得られる値を指標とすることを特徴とする。
【００１７】
本発明者等の研究により、心拍間隔を周波数解析することによって得られる周波数成分のうち、所定の帯域の低周波成分がＲＬＳの状態と大きな相関関係があることが分かっている。
【００１８】
従って、その低周波成分又はその低周波成分に基づいて得られた指標を用いることにより、精度良くＲＬＳの状態を検知することができる。
なお、低周波成分としては、例えば０．０４〜０．１５Ｈｚの帯域の周波数成分（詳しくは前記低周波数帯域のパワーの大きさ：その領域の積分値等）を採用できる。
【００１９】
また、前記指標としては、例えば低周波成分の平均値を利用できるが、例えば低周波成分の分散を利用した方が変化が大きくなるので、ＲＬＳの検知には有利である。
更に、心拍間隔の変動を解析する周波数解析としては、周知のＦＦＴ（高速フーリェ変換）、ＣＤＭ（Complex Demodulation）等が利用できるが、ＣＤＭの方が短時間での処理が可能であるので好適である。
【００２０】
（３）請求項３の発明は、前記周波数解析によって、所定の帯域の低周波成分（ＬＦ）と全周波数成分（ＡＬＬ）とを求め、前記指標として、前記低周波成分（ＬＦ）と前記全周波数成分（ＡＬＬ）との比（ＬＦ／ＡＬＬ）を求めることを特徴とする。
【００２１】
本発明により、ＲＬＳと相関の高い低周波成分の状態を抽出できるので、他の外乱（例えば下記請求項７に示す様な年齢）等の影響を排除することができる。
なお、睡眠時無呼吸症（ＳＡＳ）があると、０．０３Ｈｚ未満の極低周波数帯域（ＶＬＦ）の成分（ゆらぎ成分）が大きくなるので、全周波数成分を利用する場合には、この極低周波数帯の成分を例えばフィルタ等で除いて用いないことが好ましい。
【００２２】
（４）請求項４の発明は、前記周波数解析によって、所定の帯域の低周波成分（ＬＦ）と該低周波成分より高い所定の帯域の高周波数成分（ＨＦ）とを求め、前記指標として、前記低周波成分（ＬＦ）と前記高周波成分（ＨＦ）との比（ＬＦ／ＨＦ）を求めることを特徴とする。
【００２３】
本発明により、ＲＬＳと相関の高い低周波成分の状態を抽出できるので、他の外乱（例えば年齢）等の影響を軽減することができる。
なお、高周波成分としては、例えば０．１５〜０．４Ｈｚの帯域の周波数成分を採用できる。
【００２４】
（５）請求項５の発明は、前記低周波成分の帯域は、０．０３〜０．０９Ｈｚであることを特徴とする。
本発明者等の研究によれば、ＲＬＳの症状は、０．０３〜０．０９Ｈｚの低周波帯域と非常に大きな相関があるので、この低周波数成分により、ＲＬＳを精度良く検知することができる。
【００２５】
（６）請求項６は、前記低周波成分（ＬＦ）と前記高周波成分（ＨＦ）との比（ＬＦ／ＨＦ）又は０．０３〜０．０９Ｈｚの特定の低周波成分（ＲＬＳＦ）と前記高周波成分（ＨＦ）との比（ＲＬＳＦ／ＨＦ）により、健常者＜０．５、０．５＜ＲＬＳ愁訴のみ（ＰＬＭ無し）＜１．０、１．０＜ＰＬＭ（アローザル（覚醒）無し）＜２．０、２．０＜ＰＬＭ（アローザル有り睡眠障害）の様に区分することを特徴とする。
【００２６】
本発明は、ＬＦ／ＨＦやＲＬＳＦ／ＨＦにより、ＲＬＳの状態を判定する手法を例示したものである
（７）請求項７の発明は、前記変動状態算出手段により算出した心拍間隔の変動状態を示す指標として、心拍間隔の変動量の絶対値を用いることを特徴とする。
【００２７】
ＲＬＳの有無やその程度（重症や軽症）は、心拍間隔の変動量の絶対値と相関がある。従って、心拍間隔の変動量の絶対値（例えば変動量の平均値や標準偏差等）を基準値と比較することにより、ＲＬＳの有無やその程度を、容易に且つ精度良く検知することができる。
【００２８】
（８）請求項８の発明は、前記変動状態算出手段により算出した心拍間隔の変動状態を示す指標を、年齢に応じて補正することを特徴とする。
一般に、若者と高齢者とを比較した場合、例えば心拍間隔の変動量（振幅）は、若者の方が大きいことが知られている。従って、単に例えば心拍間隔の変動量のみを基準値と比較すると、ＲＬＳの検知を精度良く行えないことがある。
【００２９】
従って、本発明では、心拍間隔の変動状態を示す指標（例えば前記低周波成分）を、年齢に応じて補正している。これにより、年齢に起因する心拍間隔の変動よる影響を除くことができるので、ＲＬＳを一層精度良く検知することができる。
【００３０】
なお、補正方法としては、例えば被験者のデータ（例えば低周波数成分ＬＦ１）を同年代の健常者のデータ（例えば低周波成分ＬＦ２）により正規化する方法（例えばＬＦ１／ＬＦ２）が考えられる。また、前記請求項３、４の発明によっても、年齢による影響を低減することができる。
【００３１】
（９）請求項９の発明は、前記変動状態算出手段により算出した心拍間隔の変動状態を示す指標を、心拍間隔の測定時刻に応じて補正することを特徴とする。
ＲＬＳの症状は、睡眠中において夕刻から強く表れ明け方には弱くなる。従って、測定時刻を考慮せずに、単に例えば心拍間隔の変動量のみを基準値と比較すると、ＲＬＳの検知を精度良く行えないことがある。
【００３２】
従って、本発明では、心拍間隔の変動状態を示す指標（例えば前記低周波成分）を、測定時刻（例えば夕方か明け方かなど）に応じて補正している。これにより、測定時刻に起因する心拍間隔の変動よる影響を除くことができるので、ＲＬＳを一層精度良く検知することができる。
【００３３】
なお、補正方法としては、例えば同じ被験者における夕刻に測定したデータ（例えば前記低周波成分や他の指標）と明け方のデータとを比較し（例えば両データの比をとり）、夕刻のデータが所定値より大きな場合は、ＲＬＳと判定する方法などを採用できる。
【００３４】
（１０）請求項１０の発明は、前記ＲＬＳの判定を行う場合には、呼吸センサからの信号に基づいた情報を加味して判定を行うことを特徴とする。
呼吸によって、心拍間隔の変動状態が変化する。従って、呼吸センサからの信号を考慮して、ＲＬＳの判定を行うことが望ましい。
【００３５】
通常、呼吸は０．２５Ｈｚ程度なので、それほどＲＬＳの検知に影響は無いが、呼吸がゆっくりになったり、睡眠時無呼吸の症状がある場合には、ＲＬＳの検知に有効な低周波成分と帯域が重なって、ＲＬＳ検知に影響が出ることがある。
【００３６】
従って、その場合には、例えば呼吸センサによって検出した（呼吸に起因する）周波数成分をフィルタ等を用いて除いて判定することが望ましい。
（１１）請求項１１の発明は、前記ＲＬＳの判定を行う場合には、体動センサからの信号に基づいた情報を加味して判定を行うことを特徴とする。
【００３７】
体動があると、心拍間隔の変動状態が変化する。従って、体動センサからの信号を考慮して、ＲＬＳの判定を行うことが望ましい。
例えば、体動を検知した期間のデータを採用しないことにより、ＲＬＳ検知の精度を上げることができる。
【００３８】
また、体動センサが、例えば脚につけた加速度センサの様に、ＰＬＭＳを検出できるセンサの場合には、そのセンサ出力によって、より確実にＲＬＳを検知することができる。
（１２）請求項１２の発明は、更に、前記心拍変動を示す信号を検出するセンサを備えたことを特徴とする。
【００３９】
本発明は、センサとその信号を処理する装置とを備えたシステムを示している。
（１３）請求項１３の発明は、コンピュータを、請求項１〜１２のいずれかに記載の生体検査装置として機能させるためのプログラムである。
【００４０】
（１４）請求項１４の発明は、請求項１３に記載のプログラムを記憶しているコンピュータ読み取り可能な記憶媒体である。
つまり、上述した様なプログラムをコンピュータシステムにて実現する機能は、例えば、コンピュータシステム側で起動するプログラムとして備えることができる。このようなプログラムの場合、例えば、フレキシブルディスク、光磁気ディスク、ＣＤ−ＲＯＭ、ハードディスク等のコンピュータ読み取り可能な記録媒体に記録し、必要に応じてコンピュータシステムにロードして起動することにより用いることができる。この他、ＲＯＭやバックアップＲＡＭ等をコンピュータ読み取り可能な記録媒体として前記プログラムを記録しておき、このＲＯＭあるいはバックアップＲＡＭ等をコンピュータシステムに組み込んで用いても良い。
【図面の簡単な説明】
【００４１】
【図１】実施例１のＲＬＳ検査装置の主要な構成を示すブロック図である。
【図２】脈波センサの装着状態を示す説明図である。
【図３】心電信号を示すグラフである。
【図４】（ａ）ＰＬＭの無い患者の信号を示すグラフ、（ｂ）健常者の信号を示すグラフである。
【図５】ＲＬＳ患者と健常者のＬＦ成分の比較を示すグラフである。
【図６】（ａ）ＲＬＳ（ＰＬＭ有り）の患者の信号を示すグラフ、（ｂ）健常者の信号を示すグラフである。
【図７】ＲＬＳ患者と健常者のＬＦ成分の比較を示すグラフである。
【図８】ＲＬＳ患者と健常者のＬＦ／ＨＦの比較を示すグラフである。
【図９】実際のＲＬＳの検査に先立って行われる初期手順を示すフローチャートである。
【図１０】実際のＲＬＳ検知のための計測手順を示すフローチャートである。
【図１１】実施例２のＰＬＭ重症患者の心拍変動の周波数解析の結果を示すグラフである。
【図１２】ＬＦ／ＨＦとＲＬＳＦ／ＨＦの比較結果を示すグラフである。
【図１３】％ＲＬＳＦの比較結果を示すグラフである。
【図１４】実施例２のＲＬＳ判定処理を示すフローチャートである。
【図１５】体動センサを兼ねる脈波センサの装着状態を示すグラフである。
【発明を実施するための形態】
【００４２】
次に、本発明の生体検査装置、プログラム、及び記録媒体の実施例について、図面に基づいて説明する。
【実施例１】
【００４３】
ａ）まず、本実施例のＲＬＳ症を検出する生体検査装置（以下ＲＬＳ検査装置と記する）の基本構成について、図１及び図２に基づいて説明する。
図１に示す様に、本実施例のＲＬＳ検査装置は、人体に取り付けて使用されて脈波を検出する脈波センサ１（図２参照）と、この脈波センサ１の計測データに基づいて各種の演算を行う本体部３とから構成されている。なお、脈波センサ１内に本体部３の構成を組み込んで一体としてもよい。
【００４４】
このうち、前記脈波センサ１は、図示しないが、発光素子（例えば発光ダイオード：ＬＥＤ）及び受光素子（フォトダイオード：ＰＤ）を有する周知の光学式反射型センサ、即ち、血流量の変化を脈波の変化として検出するセンサである。
【００４５】
この脈波センサ１では、発光素子から人体に向かって光が照射し、その（ヘモグロビンに吸収される光に応じて変化する）反射光を受光素子で受光し、その受光量の変化を脈波信号（例えば電圧信号）として捉えることができる。
【００４６】
なお、ここでは、心拍変動を検知するセンサとして、心拍に対応する脈波信号を出力する脈波センサ１を用いたが、心拍変動を検知できるセンサ、即ち心拍に対応した信号が得られるセンサであれば、例えば心拍を検出する心電センサや血圧を検出する血圧センサ等、特に限定はない。
【００４７】
一方、前記本体部３には、脈波センサ１から（無線又は有線により）送信された脈波信号を示すデータを受信するデータ受信部５と、データ受信部５にて受信したデータを解析する（マイクロコンピュータを主要部とする）データ解析部７と、マニュアルにて各種の操作を行うマニュアル操作部９と、データ等を記憶する記憶部１１と、データ解析部７にて解析した解析結果等を表示する表示部１３と、音や音声等を出力する音出力部（例えばスピーカ）１５と、外部装置とのデータの入出力を行う入出力部１７とを備えている。
【００４８】
本実施例では、後述するように、脈波信号から心拍変動（詳しくは図３に示す心拍間隔ＲＲＩ）に対応する脈拍間隔を求め、この脈拍間隔の変動に基づいてＲＬＳを検知するための指標を求め、この指標に基づいてＲＬＳを検知するものである。
【００４９】
なお、脈波センサ１から本体部３側には、脈波信号のデータを送信できるが、脈波センサ１にマイクロコンピュータを組み込み、データ解析部７の処理の一部を行ってもよい。例えば脈波センサ１側にて、脈波信号から脈拍間隔のデータを求め、この脈拍間隔のデータを本体部３側に送信してＲＬＳ検知の処理を行ってもよい。
【００５０】
また、脈波センサ１から本体部３にデータを送信する手法としては、通信ラインを接続する方法や、無線によりデータを送信する手法等を採用できる。更に、脈波センサ１のデータを、一旦ＵＳＢやメモリカード等のメモリに記憶させ、このメモリを本体部３に装着する手法も採用できる。
【００５１】
ｂ）次に、本実施例におけるＲＬＳ検知の原理について説明する。
ＲＬＳの発生機序はまだ良く分かっていないが、自律神経系の異常であると考えられている。本発明者等によって、ＲＬＳと自律神経活動を示す指標とに大きな相関があることが確認されている。従って、本実施例では、自律神経活動を示す指標を用いて、ＲＬＳの有無やその程度の検知を行う。
【００５２】
図４に、実際に、同年代（６０歳前後）のＲＬＳ患者と健常者に対して、心拍間隔（ＲＲＩ）をＣＤＭにより周波数解析して得られた低周波成分（ＬＦ：０．０４〜０．１５Ｈｚのパワーの積分値）と、高周波数成分（ＨＦ：０．１５〜０．４Ｈｚのパワーの積分値）とを調べたグラフを示す。なお、例えば０．１５Ｈｚの様なＬＦとＨＦ等の境界値については、高周波数成分側に含めるものとする（以下同様）。
【００５３】
このグラフから、健常者に比べてＲＬＳ患者の方が、心拍間隔と低周波成分と高周波数成分の変動が大きいことが分かるが、特に低周波成分の変動が大きいことが分かる。従って、これらの変動状態から（特に低周波成分の変動状態に基づいて）、ＲＬＳの状態を検知することができることが分かる。以下、より具体的に説明する。
【００５４】
・図５に示す様に、１１名の同年代の中高年（４４〜６７才）の被験者を対象として、(1)ＲＬＳ愁訴のある患者（ＰＬＭＳの無い患者）と、(2)ＰＬＭＳのある患者と、(3)健常者とにおける指標として、ＶＬＦ平均（０．００３〜０．０４Ｈｚの超低周波成分の平均）、ＬＦ平均（０．０４〜０．１５Ｈｚの低周波成分の平均）、ＨＦ平均（０．１５〜０．４Ｈｚの高周波成分の平均）、ＬＦ分散（低周波成分ＬＦの分散）、ＬＦ／ＨＦ平均（低周波成分と高周波成分の比の平均）を調べた。尚、平均とは、１０分間のそれぞれの周波数成分の平均値である。
【００５５】
その結果、(1)ＲＬＳ愁訴のある患者（ＰＬＭＳの無い患者）と、(2)ＰＬＭＳのある患者と、(3)健常者（コントロール）とにおいて、各指標（例えばＬＦ）に差が見られた。従って、その指標に基づいてＲＬＳの判定を行うことができる。
【００５６】
つまり、心拍間隔（ＲＲＩ）を、例えば周知のＣＤＭにより周波数解析し、それによって得られた例えば低周波成分は、ＲＬＳ患者とそうでない健常者においては、大きく異なるので、その低周波成分（又はその低周波成分に基づいた指標）を用いて、ＲＬＳの検知を行うことができる。
【００５７】
・しかし、上述したＬＦ等の各指標は、年齢によって変動するので、以下では、年齢による補正について説明する。
図６に、実際に、中高年（５０代）のＲＬＳ患者と若者（２０代）の健常者に対して、心拍間隔と低周波成分と高周波数成分とを調べたグラフを示す。
【００５８】
このグラフから、若者では、健常者であっても、低周波成分と高周波数成分の変動が大きいことが分かる。従って、年齢を考慮せずに、単に低周波成分等を調べるだけでは、精度の良い判定ができないことがある。つまり、ＲＬＳを精度良く検知するためには、年齢による補正（例えば中高年か若者かの区別）を加える必要があることが分かる。
【００５９】
図７に示す様に、１１名の同年代の中高年（４４〜６７才）と若者（２０代の健常者）の被験者を対象として、(1)ＲＬＳ愁訴のある患者（ＰＬＭＳの無い患者）と、(2)ＰＬＭＳのある患者と、(3)健常者とにおける、ＶＬＦ平均、ＬＦ平均、ＨＦ平均、ＬＦ分散、ＬＦ／ＨＦ平均を調べた。
【００６０】
その結果、(1)ＲＬＳ愁訴のある患者（ＰＬＭＳの無い患者）と(2)ＰＬＭＳのある患者のＬＦは、(3)中高齢の健常者のＬＦより大きく、ＲＬＳ患者と中高齢の健常者との間にＬＦの差が見られた。しかし、若年のＬＦはＲＬＳ患者のＬＦと同様に大きいので、単にＬＦだけでは、ＲＬＳの検知の精度が低い恐れがある。
【００６１】
従って、この年齢差のよる影響を排除するために、例えば図８に示す様に、ＲＬＳ検知の指標として例えばＬＦ／ＨＦを用いることができる。なお、図８は、前記図７のデータのうち、ＬＦ／ＨＦ平均を拡大して示したものである。
【００６２】
この図８から明らかな様に、ＬＦ／ＨＦ平均を用いることにより、中高齢でも若年であっても、ＲＬＳ患者と健常者とを区別することができるので、ＲＬＳ検知を精度良く行うことができる。
【００６３】
つまり、ＬＦ／ＨＦ平均を用いることにより、(1)ＲＬＳ愁訴のある患者（ＰＬＭＳの無い患者）と、(2)ＰＬＭＳのある患者と、(3)健常者とを明瞭に区別できる。また、(2)ＰＬＭＳのある患者において、更に、覚醒を伴う重症者と覚醒を伴わない中症者とを区別することができる。ここでは、ＬＦ／ＨＦが０．６５以下ならば(3)健常者、０．６５〜１．１なら(1)ＲＬＳ愁訴のある患者（ＰＬＭＳの無い患者）、１．１〜２．０なら(2)ＰＬＭ有りの中症者、２．０以上ならばＰＬＭ有りの重症者と判定することができる。
【００６４】
なお、このデータにおいて、覚醒の有無は、脳波をモニタすることにより調べたものであり、ＰＬＭの有無は、脚に付けた筋電計により調べたものである。
ｃ）次に、上述したＲＬＳ検知の原理に基づいて、データ解析部７にて行われるＲＬＳ検知の処理ついて説明する。
【００６５】
本処理は、脈波センサ１を用いて、心拍間隔に対応する脈拍間隔の変動状態からＲＬＳを検知するものである。
(1)まず、初期手順について説明する。
【００６６】
本処理は、実際のＲＬＳの検査に先立って行われる処理である。
図９のフローチャートに示す様に、ステップ（Ｓ）１００では、年齢、性別、体重等の個人情報を入力する。
【００６７】
続くステップ１１０では、脈波センサ１によって、安静時に測定した脈波信号を取得する。
続くステップ１２０では、脈波信号から（心拍間隔に対応する）脈拍間隔を求め、ＣＤＭによって脈拍間隔の周波数解析を行う。
【００６８】
続くステップ１３０では、周波数解析の結果から、例えば０．０４〜０．１５Ｈｚの低周波数成分を抽出する。即ち、その帯域のパワーの積分値を求める。
続くステップ１４０では、低周波成分の年齢補正を行う。例えば前記低周波成分／全周波成分（ＬＦ／ＡＬＬ）の指標や低周波成分／高周波成分（ＬＦ／ＨＦ）の指標を求めたり、被験者の低周波成分／同年代の健常者の低周波成分（ＬＦ１／ＬＦ２）を算出して年齢補正された指標を求める。
【００６９】
続くステップ１５０では、年齢補正した指標が、ＲＬＳを示す所定の判定値以上か否かを判定する。ここで、肯定判断されるとステップ１６０に進み、一方否定判断されるとステップ１８０に進む。
【００７０】
ステップ１６０では、自律神経（交換神経）の活動を示す信号が正確に算出できているかを判定する。つまり、例えば脈波センサ１の装着ミス等の影響で異常な値となっていないかどうかを判定する。ここで、肯定判断されるとステップ１８０に進み、一方否定判断されるとステップ１７０に進む。
【００７１】
ステップ１７０では、得られた信号が異状であると判断されたので、脈波センサ１の装着のやり直しと、安静を保持した再計測を指示し、前記ステップ１１０に戻る。
一方、ステップ１８０では、測定にミスはないと判断されたので、個人情報、計測信号、解析結果を、記憶部１１に記憶する。
【００７２】
続くステップ１９０では、表示部１３に、「検査準備完了」と表示し、一旦本処理を終了する。
(2)次に、実際のＲＬＳ検知のための計測手順について説明する。
【００７３】
図１０のフローチャートに示す様に、ステップ２００では、脈波センサ１によって、一晩又は２４時間にわたり測定した脈波信号を取得する。
続くステップ２１０では、脈波信号から脈拍間隔を求め、ＣＤＭによって脈拍間隔の周波数解析を行う。
【００７４】
続くステップ２２０では、周波数解析の結果から、０．０４〜０．１５Ｈｚの低周波成分と、０．１５〜０．４Ｈｚの高周波成分とを抽出する。
続くステップ２３０では、年齢補正を行う。ここでは、年齢補正した指標として、例えば低周波成分／高周波成分（ＬＦ／ＨＦ）を求める。
【００７５】
続くステップ２４０では、年齢補正した指標（ＬＦ／ＨＦ）が、ＲＬＳを示す所定の判定値以上か否かを判定する。例えばＬＦ／ＨＦが、０．６５以上か（ＲＬＳの疑いがある数値か）否かを判定する。ここで、肯定判断されるとステップ２５０に進み、一方否定判断されるとステップ２７０に進む。
【００７６】
ステップ２５０では、自律神経の活動を示す信号が正確に算出できているかを判定する。ここで、肯定判断されるとステップ２６０に進み、一方否定判断されると前記ステップ２００に戻る。
【００７７】
ステップ２６０では、ＬＦ／ＨＦを用いて、ＲＬＳの状態の判定を行う。
例えば前記図８に示す様に、ＲＬＳの状態は、ＬＦ／ＨＦに対応しているので、上述した様に、ＬＦ／ＨＦが、０．６５〜１．１なら(1)ＲＬＳ愁訴のある患者（ＰＬＭＳの無い患者）、１．１〜２．０なら(2)ＰＬＭ有りの中症者、２．０以上ならばＰＬＭ有りの重症者と判定する。ただし、上記判定の数値は、ぐっすり眠っているときの計測データのみを処理したもので、中途覚醒や一時的な体動が含まれる全一晩のデータ等を使った場合には、１０〜３０％程度上げた値で判定する必要がある。
【００７８】
ステップ２７０では、ＲＬＳの判定結果を表示する。
続くステップ２８０では、個人情報、計測信号、解析結果等を、時系列に記録し、一旦本処理を終了する。
【００７９】
なお、前記ステップ２４０のＲＬＳの有無の判定とステップ２６０のＲＬＳの程度の判定を一度に行って、その後、信号が正確に算出できているか判定し、正確に算出できている場合に、ＲＬＳ判定の結果等の表示を行うようにしてもよい。
【００８０】
ｄ）次に本実施例の効果を説明する。
本実施例では、脈波センサ１から得られた脈波間隔の周波数解析を行い、そのＬＦ／ＨＦを指標として、ＲＬＳの有無やその程度の判定を行っている。従って、従来に比べて、簡易な手法で容易にＲＬＳの検査を行うことができる。
【００８１】
また、本実施例では、ＰＳＧ検査をしない場合であても、更には、ＰＬＭＳのない被験者に対しても、精度良くＲＬＳの判定を行うことができるという顕著な効果を奏する。
更に、本実施例では、例えばＬＦ／ＨＦ等の指標を採用することにより、年齢による影響を排除できるので、この点からも、精度良くＲＬＳ判定を行うことができる。
【００８２】
なお、更に判定の精度を高める場合には、下記の方法を採用することが望ましい。
・不整脈がある場合には、その区間を除外する。つまり、不整脈があると、ＲＬＳに起因する脈拍間隔の変動を正確に把握できないので、不整脈のある期間のデータは周波数解析等に用いない。
【００８３】
・何等かの原因で、脈拍間隔が基準値を超えるものがあるが、その間のデータが無いと、解析を精度良く行えない可能性がある。従って、その場合は、例えば直前のデータなどを用いて、データを補間する。
【００８４】
・脈拍間隔が連続して基準値を超える場合があるが、その場合は補間では対応できないので、その区間のデータは、解析に用いないようにする。
【実施例２】
【００８５】
次に、実施例２について説明するが、前記実施例１と同様な内容の説明は省略する。
ａ）本発明者等の研究によれば、低周波成分のうち、特に特定の低周波成分（０．０３〜０．０９Ｈｚ：ＲＬＳＦ）とＲＬＳとに大きな関連があることが分かっている。
【００８６】
図１１に、８名の被験者に対して、心電センサから得られた心拍間隔の周波数解析を行った結果を示す。
この図１１から明かな様に、ＰＬＭ重症の患者（ＰＬＭが多発する患者）は、その低周波成分ＲＬＳＦの帯域において、大きなピークを有することが分かる。
【００８７】
従って、ＲＬＳの判定に、特定の低周波成分ＲＬＳＦを用いることが有効であることが分かる。
図１２は、１１名の被験者に対して、ＬＦ／ＨＦとＲＬＳＦ／ＨＦとを求め、その値を比較したものである。
【００８８】
この図１２から明かな様に、ＲＬＳの有無やその程度に応じて、ＬＦ／ＨＦやＲＬＳＦ／ＨＦが異なることが分かる。
つまり、図１２から、ＬＦ／ＨＦやＲＬＳＦ／ＨＦにより、健常者＜０．５、０．５＜ＲＬＳ愁訴のみ（ＰＬＭ無し）＜１．０、１．０＜ＰＬＭ（アローザル（覚醒）無し）＜２．０、２．０＜ＰＬＭ（アローザル有り睡眠障害）の様に区分できることが分かる。
【００８９】
特に、ＬＦ／ＨＦよりもＲＬＳＦ／ＨＦの方が、やや値が顕著であり、ＲＬＳ愁訴のみとＰＬＭ有りとの分離がし易いという利点がある。
図１３は、％ＲＬＳＦ（ＲＬＳＦの成分比率＝ＲＬＳＦ／（ＨＬＦ＋ＲＬＳＦ）を示したものである。なお、ＨＬＦは０．０９〜０．４Ｈｚを示している。
【００９０】
この図１３から、％ＲＬＳＦにより、健常者＜０．３、０．３＜ＲＬＳ愁訴のみ（ＰＬＭ無し）＜０．４、０．４＜ＰＬＭ（アローザル無し）＜０．５、０．５＜ＰＬＭ（アローザル有り）の様に区分できることが分かる。
【００９１】
ｂ）従って、以下では、このＲＬＳＦを用いた処理について説明する。
なお、以下では、心電センサに代えて脈波センサを用いた例について説明するが、心電センサによって、直接に心拍間隔を求めるようにしてもよい。
【００９２】
図１４のフローチャートに示す様に、ステップ３００では、脈拍信号から脈拍間隔を算出する。
続くステップ３１０では、脈拍間隔の連続データをスプライン補完して連続値にした後、１秒毎の脈波間隔値を求め（リサンプリングする）、その脈波間隔値をＣＤＭにより周波数解析する。
【００９３】
続くステップ３２０では、０．０３〜０．０９Ｈｚの周波数成分ＲＬＳＦ（パワー値）と０．０９〜０．４Ｈｚの周波数成分（パワー値）を求め、０．０３〜０．０９Ｈｚの周波数成分ＲＬＳＦの含有率（％ＲＬＳＦ）を算出する。
【００９４】
つまり、０．０３〜０．０９Ｈｚの周波数成分／（０．０３〜０．０９の周波数成分＋０．０９〜０．４Ｈｚの周波数成分）を求める。
なお、０．０３Ｈｚ未満の周波数成分は、解析精度が低下することと、睡眠時無呼吸症ＳＡＳの症状があると大きく影響されるので、ここでは除外している。また、０．４Ｈｚより大きな高周波成分は、自律神経の活動周波数成分として殆ど無くなるので、ここでは除外した。
【００９５】
続くステップ３３０では、％ＲＬＳＦの値を用いてＲＬＳの判定を行い、一旦本処理を終了する。
詳しくは、睡眠中の％ＲＬＳＦを用いて、例えば下記の様にしてＲＬＳの判定を行うことができる。
【００９６】
０．３以下    ：ＲＬＳ無し
０．３〜０．４：ＲＬＳの愁訴あり（むずむず感有り）
０．４〜０．５：ＰＬＭＳ有り（覚醒無し）：ＲＬＳ中度
０．５以上    ：ＰＬＭＳ有り（覚醒反応有り）：ＲＬＳ重症
本実施例によって、前記実施例１より高い精度で、ＲＬＳの判定を行うことができる。
【００９７】
なお、上記判定以外に、例えば％ＲＬＳＦに代えて、ＲＬＳＦ／（ＲＬＳＦ＋０．０９〜０．４の周波数成分）のように単に比を用いてもよい。
この指標を用いる場合は、下記の判定条件を採用できる。
【００９８】
０．６以下：ＲＬＳ無し
０．６〜１：ＲＬＳの愁訴あり（むずむず感有り）
１〜２    ：ＰＬＭＳ有り（覚醒無し）：ＲＬＳ中度
２以上    ：ＰＬＭＳ有り（覚醒有り）：ＲＬＳ重症
【実施例３】
【００９９】
次に、実施例３について説明するが、前記実施例２と同様な内容の説明は省略する。
本実施例は、前記実施例２の構成に、更に、時刻による補正と年齢による補正を行うものである。
【０１００】
ａ）時刻による補正
ＲＬＳの症状は、夕刻から強まり明け方に回復する傾向がある。そのため、睡眠直後から明け方にかけて、％ＲＬＳＦが漸近的に変化することを利用する（時刻と時間的変化を利用する）。
【０１０１】
具体的には、測定開始から％ＲＬＳＦを算出し、睡眠直後から明け方にかけて％ＲＬＳＦが半分以下に減少しているときは、ＲＬＳの疑いありと判定する。
なお、睡眠直後は、例えば体動の減少により判断し、明け方は、体動の回復あるいは時計により判断する。
【０１０２】
ｂ）年齢による補正
ＲＬＳＦの周波数成分のパワー値は、若いときに高く年齢とともに減少する。従って、パワーの絶対値をその人の年齢と比較してＲＬＳの程度をおおざっぱに判定することができる。
【０１０３】
例えばＲＬＳＦの周波数成分の一晩の平均値が、例えば２０才で３０以上、３０才で２５以上、４０才で２０以上、５０才で１０以上であれば、ＲＬＳの疑いがあると判定する。
【０１０４】
なお、上述した時刻や年齢による指標の変化の傾向は、ＲＬＳＦの指標に限らず、ＬＦ、ＬＦ／ＨＦ等の他の指標でも同様なことが言えるので、本実施例の時刻や年齢による補正方法を、実施例１等の他の実施例に適用することができる。例えばＬＦやＬＦ／ＨＦ等の指標も、若いときに高く年齢とともに減少するので、上述の様に（実験等によって求められた）年齢によって区分された判定値以上であれば、ＲＬＳの疑いがあると判定してもよい。
【実施例４】
【０１０５】
次に、実施例４について説明するが、前記実施例１と同様な内容の説明は省略する。
前記実施例１〜３では、脈波センサを用いた例について説明したが、本実施例では、更に他のセンサを用いる場合について説明する。
【０１０６】
ａ）体動センサ
・例えば図１５に示す様に、加速度を測定できる加速度センサの機能を有する脈波センサ２１を、体動センサとして脚部に取り付けて、脈波及び加速度（脚部の体動）を測定するようにしてもよい。
【０１０７】
この場合、体動センサによって脚部の周期的な動きを検出した場合には、ＲＬＳによるＰＬＭＳである可能性が高い。従って、脈波から得られたＲＬＳの判定と、脚部の動きから得られたＰＬＭＳの判定とを総合し、両判定によってＲＬＳである可能性が判定された場合には、その判定を信頼性が高いものとみなすことができる。
【０１０８】
・また、体動センサによって、脚部の周期的な動き以外の体動を検出した場合には、その期間は、脈波に体動によるノイズが乗る可能性が高いので、その期間のデータを除いてＲＬＳ判定を行うことが好ましい。
【０１０９】
・更に、体動センサによって得られた周期的な信号とＲＬＳＦの周波数成分の変動周期とを比較し、その相関関係を調べ、ＲＬＳＦの周波数成分の変動周期が体動による可能性が高い場合には、その点を考慮して判定する。
【０１１０】
具体的には、脈波センサから得られた信号を周波数解析して求めた中心周波数と足に付けた加速度信号の周波数成分を比較して周波数の一致度を見る、あるいは脈波センサから得られた信号と加速度信号の両者の波形相関を求めて変化（体動）発生の時刻一致度を見ることによって判定する。
【０１１１】
ｂ）呼吸センサ
呼吸によって、心拍間隔の変動状態が変化するので、本実施例では、呼吸センサからの信号を考慮して、ＲＬＳの判定を行う。
【０１１２】
つまり、呼吸がゆっくりになったり、睡眠時無呼吸の症状がある場合には、ＲＬＳの検知に有効な低周波成分と帯域が重なって、ＲＬＳ検知に影響が出ることがある。従って、本実施例では、呼吸センサによって検出した（呼吸に起因する）周波数成分（例えば０．０２〜０．０３Ｈｚ）を除いてＲＬＳ判定を行う。
【実施例５】
【０１１３】
次に、実施例５について説明するが、前記実施例１と同様な内容の説明は省略する。
本実施例は、脈波間隔の周波数解析を行うのではなく、脈拍間隔の変動量の絶対値からＲＬＳを検知するものである。
【０１１４】
前記図４に示した様に、ＲＬＳ患者は健常者に比べて、脈拍間隔の変動量が大きい、従って、例えば脈拍間隔の変動量の絶対値の平均や分散が基準値より大きい場合に、ＲＬＳの疑いがあると判定することができる。
【０１１５】
尚、本発明は前記実施例になんら限定されるものではなく、本発明を逸脱しない範囲において種々の態様で実施しうることはいうまでもない。
（１）例えば、前記実施例１では、脈波センサにより検出した脈波信号を用いて、心拍間隔に対応する脈拍間隔を求め、この脈拍間隔を変動状態からＲＬＳの検知を行ったが、心電センサによって心拍間隔を求め、この心拍間隔の変動状態からＲＬＳの検知を行ってもよい。その他、心拍間隔に対応する値として、例えば連続血圧センサによる血圧の変動状態を利用してよい。
【０１１６】
（２）また、各実施例の構成（例えば補正方法など）を組み合わせることにより、一層精度良くＲＬＳを検知することができる。
（３）更に、前記実施例では、ＲＬＳ検査装置について述べたが、本発明は、それらに限らず、上述したアルゴリズムに基づく処理を実行させるプログラムやそのプログラムを記憶している記録媒体にも適用できる。
【０１１７】
この記録媒体としては、マイクロコンピュータとして構成される電子制御装置、マイクロチップ、フレキシブルディスク、ハードディスク、光ディスク等の各種の記録媒体が挙げられる。つまり、上述したＲＬＳ検査装置の処理を実行させることができるプログラムを記憶したものであれば、特に限定はない。
【符号の説明】
【０１１８】
１…脈波センサ
３…本体部
７…データ解析部
９…マニュアル操作部
【図１】
2010207347.tif 000003
【図２】
2010207347.tif 000004
【図８】
2010207347.tif 000005
【図９】
2010207347.tif 000006
【図１０】
2010207347.tif 000007
【図１４】
2010207347.tif 000008
【図１５】
2010207347.tif 000009
【図３】
2010207347.tif 000010
【図４】
2010207347.tif 000011
【図５】
2010207347.tif 000012
【図６】
2010207347.tif 000013
【図７】
2010207347.tif 000014
【図１１】
2010207347.tif 000015
【図１２】
2010207347.tif 000016
【図１３】
2010207347.tif 000017